(57)【要約】      （修正有）【課題】廃土の処理に適切な廃土選別処理装置を提供する。【解決手段】破砕装置３全長の中において一定距離を決め、軸支されたチェーン３３を固定する固定部３２の長さを変え、または、チェーン３３の長さ若しくは太さを変えることで破砕力を変化させて破砕物の多様な条件に対応できるようにする廃土選別処理装置である。また、中間で逆送させることで、破砕物を長時間かけて破砕することとし、位置は破砕物によって変えることとする。【選択図】図９
2015223527.tif 000002
【特許請求の範囲】
【請求項１】
筐体内に、回転自在に軸支される回転軸と、前記回転軸の外周面に間隔を置いて固定される複数個の固定部と、前記固定部に跨って固定される複数のチェーンとを備え、前記複数のチェーンが長さ及び／又は太さの観点で異なる２種以上のチェーンで構成されていることで、装置内における破砕力を多様化している廃土選別処理装置。
【請求項２】
装置全長における中間領域のチェーンを他の領域のチェーンとは逆方向の螺旋状に架け渡すことで、破砕物を長時間かけて破砕する請求項１に記載の廃土選別処理装置。
【請求項３】
装置全長における一定領域のチェーンが、他の領域のチェーンと長さ及び／又は太さの観点で異なるように構成することで装置内における破砕力を多様化して、破砕物の多様な条件に対応できるようにした請求項１又は２に記載の廃土選別処理装置。
【請求項４】
筐体は、吸塵口を有し、該吸塵口に連通して粉塵およびワラ屑を分別処理するサイクロン又は風力選別機をさらに備えた請求項１ないし３のいずれか１つに記載の廃土選別処理装置。
【請求項５】
筐体内に、前記回転軸及びチェーンを包囲して回転するトロンメルをさらに備え、該トロンメルおよび前記回転軸の回転数を処理土の性状に応じて調整するためのインバータ制御回路を備えた請求項１ないし４のいずれか１つに記載の廃土選別処理装置。
【請求項６】
トロンメルが、網目の孔径を変更できるように交換可能である請求項５に記載の廃土選別処理装置。
【請求項７】
トロンメルの回転中心軸に対して、回転軸の軸中心を水平かつ平行に相対移動可能である請求項５または請求項６に記載の廃土選別処理装置。
【請求項８】
筐体の上部に設置されて、トロンメル内部に廃土を供給するホッパーをさらに備え、該ホッパーは、投入口を防護して粉塵の飛散を防止するためのシートカバーを備えた請求項５ないし請求項７のいずれか１つに記載の廃土選別処理装置。
【請求項９】
ホッパーの外側面には、投入された廃土の流れを円滑にするためのバイブレータを備える請求項８に記載の廃土選別処理装置。
【請求項１０】
ホッパーから供給された廃土をトロンメル内部に搬送するスクリューコンベアを更に備え、該スクリューコンベアの回転数を処理土の性状に応じて調整するためのインバータ制御回路を備えた請求項８または請求項９に記載の廃土選別処理装置。
【請求項１１】
コンテナ脱着装置付き自動車に脱着可能な脱着式コンテナに搭載された請求項１ないし請求項１０のいずれか１つに記載の廃土選別処理装置。
【発明の詳細な説明】
【技術分野】
【０００１】
本発明は、廃土を選別処理する廃土選別処理装置に関する。
【背景技術】
【０００２】
特許文献１に示す通り、食品などの内容物を包装材で包装してなる包装品を包装材及び内容物に分別するゴミ分別装置に関するものであり、筒体１１の内部には、円柱形状の回転体１２がその円柱形状の中心軸を回転軸２２として回転自在に支持されている。回転軸２２にはチェーン歯車２４が固定されており、当該チェーン歯車２４に歯合されているチェーンによって回転力を回転体１２に伝達することにより、回転体１２を回転させることができる。この場合、回転体１２はその回転中心軸２２が筒体１１の中心軸線と一致するように支持されていることにより、回転体１２はその外周面と筒体１１の内周面との間隔を常に一定に保ったまま回転するようになされている。
【０００３】
特許文献１の図６において、駆動源であるモータ（図示せず）の出力回転軸３１にはチェーン歯車３２が嵌合されており、出力回転軸３１の回転は当該チェーン歯車３２に噛合されたチェーン３３を介して別のチェーン歯車３４に伝達される。チェーン歯車３４と同一軸に設けられた他のチェーン歯車にはさらに別のチェーン２１が噛合されており、チェーン歯車３４の回転はチェーン２１を介してチェーン歯車２４に伝達される。このチェーン歯車２４の回転は当該チェーン歯車２４を嵌合した回転体１２の回転軸２２に伝達される。かくしてモータを回転させることにより、回転体１２を回転させることができる。
【０００４】
特許文献１の図７は、ゴミ分別装置１の縦断面図を示し、ゴミ分別装置１において、回転体１２を回転させた状態で投入口３からパック詰め食品４１を投入すると、当該パック詰め食品４１は先ず、筒体１１の内周面と回転体１２の外周面との間の空間部分において、回転体１２の回転運動に応じて回転する鎖１３によって攪拌される。
【０００５】
ここでは、パック詰め食品４１は比較的長い鎖１３によって攪拌されながら、当該鎖１３と筒体１１の内周面部とによって摩りおろされ次第にその包装材が破れて行く。鎖１３による摩りおろしによって包装材がある程度破れたパック詰め食品４１は、やがて当該鎖１３が回転する摩りおろし部から鎖１４が回転する分離部に移動する。この場合、筒体１１及び回転体１２は投入口３の側から排出口４の側に向かって低くなるように傾斜した状態で取り付けられていることが好ましく、これにより投入口３から投入されたパック詰め食品４１は筒体１１の内部で攪拌されながら、次第に排出口４の方に移動することとなる。
【０００６】
このように、鎖１３が回転する摩りおろし部において包装材がある程度破れたパック詰め食品４１は攪拌されながらやがて鎖１４によって攪拌される分離部に移動する。ここではパック詰め食品４１は、短い鎖１４によって細かく叩かれることによりその内容物である食品４１ａと包装材４１ｂとが分離する。
【０００７】
ここで包装材４１ｂと分離した食品４１ａは、回転する鎖１４によってさらに細かく砕かれながら、鎖１４による攪拌作用によって、筒体１１の壁面に形成されている網目状の排出孔１１ａを介して底部の漏斗部１６に流れ落ち、生ゴミ排出口１７から外部に排出される。
【先行技術文献】
【特許文献】
【０００８】
【特許文献１】再公表特許第０２／０１４１８６号公報
【発明の概要】
【発明が解決しようとする課題】
【０００９】
しかしながら、特許文献１の発明においては、食品の内容物の食品と包装材の分離を行うものであり、廃土には様々な材料が混合した状態で集積されるため、廃土を分別収集する手段としては不適切であり、例えば、解体した家屋の土壁を再利用するには、土塊と藁や竹、その他解体時に混入した木片等とを分離する必要があり、また、廃石膏ボードを再利用するためには、芯材の石膏と表面の紙とを分離する必要がある。
【００１０】
そこで本発明は、上述のような廃土の処理に適切な廃土選別処理装置を提供することを課題とする。
【課題を解決するための手段】
【００１１】
上記の課題に鑑みて、本発明は、筐体内に、回転自在に軸支される回転軸と、前記回転軸の外周面に間隔を置いて固定される複数個の固定部と、前記固定部に跨って固定される複数のチェーンとを備え、前記複数のチェーンが長さ及び／又は太さの観点で異なる２種以上のチェーンで構成されていることで、装置内における破砕力を多様化している廃土選別処理装置である。
【００１２】
上記廃土選別処理装置においては、装置全長における中間領域のチェーンを他の領域のチェーンとは逆方向の螺旋状に架け渡すことで、破砕物を長時間かけて破砕することが好ましい。
【００１３】
上記廃土選別処理装置においては、装置全長における一定領域のチェーンが、他の領域のチェーンと長さ及び／又は太さの観点で異なるように構成することで装置内における破砕力を多様化して、破砕物の多様な条件に対応できることが好ましい。
【００１４】
上記廃土選別処理装置においては、粉塵およびワラ屑を分別処理するサイクロン又は風力選別機をさらに備えた廃土選別処理装置であることが好ましい。
【００１５】
上記廃土選別処理装置においては、ホッパー投入口は粉塵飛散防止としてシートカバーで防護することが好ましい。
【００１６】
上記廃土選別処理装置においては、筐体内に、前記回転軸及びチェーンを包囲して回転するトロンメルをさらに備え、該トロンメルおよび前記回転軸の回転数を処理土の性状に応じて調整するためのインバータ制御回路を備えることが好ましい。
【００１７】
上記廃土選別処理装置においては、トロンメルが、網目の孔径を変更できるように交換可能であることが好ましい。
【００１８】
上記廃土選別処理装置においては、トロンメルの回転中心軸に対して、回転軸の軸中心を水平かつ平行に相対移動可能であることが好ましい。
【００１９】
上記廃土選別処理装置においては、筐体の上部に設置されて、トロンメル内部に廃土を供給するホッパーをさらに備え、該ホッパーは、投入口を防護して粉塵の飛散を防止するためのシートカバーを備えたものであることが好ましい。
【００２０】
上記廃土選別処理装置においては、ホッパーの外側面には、投入された廃土の流れを円滑にするためのバイブレータを備えることが好ましい。
【００２１】
上記廃土選別処理装置においては、ホッパーから供給された廃土をトロンメル内部に搬送するスクリューコンベアを更に備え、該スクリューコンベアの回転数を処理土の性状に応じて調整するためのインバータ制御回路を備えることが好ましい。
【００２２】
上記廃土選別処理装置は、コンテナ脱着装置付き自動車に脱着可能な脱着式コンテナに搭載されていることが好ましい。
【図面の簡単な説明】
【００２３】
【図１】本発明の実施形態１による廃土選別処理装置を示す正面図である。
【図２】同じく廃土選別処理装置を示す平面図である。
【図３】（ａ）は同じく廃土選別処理装置を示す左側面図、（ｂ）は同じく廃土選別    処理装置を示す右側面図である。
【図４】（ａ）は図１のＡ−Ａ矢視図である、（ｂ）は図１のＢ−Ｂ矢視図である。
【図５】本発明の実施形態２による廃土選別処理装置を示す正面図である。
【図６】同じく廃土選別処理装置を示す平面図である。
【図７】図５のＡ−Ａ矢視図である。
【図８】同じく廃土選別処理装置を示す右側面図である。
【図９】チェーンの配置を示す説明図である。
【図１０】投入ホッパーを示す斜視図である。
【図１１】脱着式コンテナの平面図である。
【図１２】脱着式コンテナの底面図である。
【図１３】脱着式コンテナの左側面図である。
【図１４】コンテナ脱着装置付自動車の正面図である。
【図１５】他の実施形態のチェーンの配置を示す説明図である。
【図１６】他の実施形態のチェーンの配置を示す説明図である。
【図１７】他の実施形態のチェーンの配置を示す説明図である。
【図１８】他の実施形態のチェーンの配置を示す説明図である。
【図１９】他の実施形態のチェーンの配置を示す説明図である。
【図２０】他の実施形態の廃土選別装置を示す説明図である。
【発明を実施するための形態】
【００２４】
本発明の好適な実施形態１である廃土選別処理装置１について図１〜図４を参照して以下に説明する。
【００２５】
廃土選別処理装置１は、木造の個人住宅、建坪４０坪以下程度の土壁の家屋を解体或いは震災等により破壊された後、発生した残土類を現場から持ち出すことなく、その場で粉砕と同時に分別を行い、処理土は現場に再利用し、ガラ、ワラ屑等のみ産廃として処分するプラントである。
【００２６】
プラントは、廃土を供給する残土投入用ホッパー２、破砕装置３及び分別用トロンメル５（篩機）を収納する筐体９、残土投入用ホッパー２から供給された廃土を筐体９の上方へ搬送するスクリューコンベア４、仕分けされた残土や廃棄物の搬出用のベルトコンベアー６、筐体９に接続された粉塵排出用サイクロン７で構成される。
【００２７】
残土投入用ホッパー２は、図８及び図１０に示す通り、筐体９の側方に設置されて、粉塵飛散防止のため、シート２１（例えば、ビニルシート等）で囲い、投入口はすだれ状に切り分けることで、バックホーのバケットが出入りしても粉塵の飛散量が少なくなるようにしている。すだれ状に切り分ける方法の他に、バケットが近づくとセンサーにより防塵シートが自動的に巻き上がり、ホッパー内に投入してバケットが離れると自動的に巻き下がる自動操作方式も可能としている。図１０では、側面はのれん式のカバー２３としている。また、ホッパー２の外側面には、投入された廃土の流れを円滑にするためのバイブレータ２５を備えている。
【００２８】
スクリューコンベア４は、その起端上部を切り欠いて残土投入用ホッパー２の排出口に接続しており、筐体９の上方に向かって斜め上方に延びている。スクリューコンベア４の図示しない駆動源は、例えば、含水率、硬度、粒径といった処理土の性状に応じて回転数を調整するためにインバータ制御されている。
【００２９】
破砕装置３は、廃土選別処理装置１０上に軸支される回転軸３１と、回転軸３１の外周面に間隔を置いて固定される複数個の固定部３２と、固定部３２の間に固定される複数のチェーン３３と、を備える。
【００３０】
破砕装置３は、粉砕距離を長くすることで粉砕効率を良くしている。破砕装置３は回転軸３１と、回転軸３１の外周面に固定される固定部３２と、両端部をそれぞれ異なる固定部３２に固定されるチェーン３３とを備えている。固定部３２は例えば固定用ブラケットであり、鋼材を所定長さ、所定幅、所定厚みに切断または形成した三次元構造物であり、軸方向視で互いに１２０°の間隔をなすように回転軸３１の軸方向に沿って３列整列して、回転軸３１に配置されている。図９に示す通り、原料となる被処理土の供給口に近い側から回転軸３１の軸方向に沿って、上流領域３６、中間領域３５、下流領域３７の３つの領域に分割される。上流領域３６及び下流領域３７には、正回転、即ち、被処理土を下流方向へ送り出す力を生じるように、二重螺旋状にチェーン３３を取付けている。中間領域３５には、チェーン３３をその上流領域３６又は下流領域３７のチェーン３３とは逆方向の螺旋となるように架け渡しており、これにより上流領域３６から送り出されてきた粉砕物を適宜反対に打ち返しつつ滞留させ、きめ細かく破砕できるようになっている。上流領域３６では、固定用ブラケットの回転軸３１表面からの突出高さが低くなるようにし、その代わりにチェーン３３を長めとすることで破壊力を大きく設定している。一方、下流領域３７にも、正回転するようにチェーン３３を取付けているが、固定用ブラケットの回転軸３１表面からの突出高さを上流領域３６に設けた固定用ブラケットに比べて高くし、チェーン３３を相対的に短くすることで破壊力を小さく設定している。即ち、チェーン３３の長さを変えることで、破砕力に変化をつけ、多様の条件に対応している。
【００３１】
分別用トロンメル５は、破砕装置３を包囲して回転可能な円筒状の篩であり、側壁の少なくとも一部には所定の大きさの網目を有する金網を備えている。金網は、網目の孔径が変更できるように交換可能であり、例えば、Φ３からΦ４、Φ５と目が粗くなるにつれて、再利用する土に含まれるワラ屑等の混合割合が高くなる。したがって、所望の土の品質に応じてトロンメル５の網目孔径が選択される。
【００３２】
図３及び図４に示すように、破砕装置３における回転軸３１の軸中心は、トロンメル５の回転中心軸に対して低い位置に設定されているが、さらに、破砕装置３における回転軸３１の軸中心は、トロンメル５の回転中心軸に対して水平かつ平行に相対移動可能となっている。これにより、トロンメル５の内壁面とチェーン３３との距離（アローワンス）を調整することができ、破砕の効率化を図っている。また破砕装置３及びトロンメル５は、可能なだけ長くし、処理時間、能力をアップさせ、破砕残し、ふるい残しをより少なくなるようにする。
【００３３】
破砕装置３及びトロンメル５はさらに、処理土の性状、例えば、含水率、硬度、粒径等に応じて分別用トロンメル５および回転軸３１の回転数を調整するためのインバータ制御回路を備える。
【００３４】
粉塵排出用サイクロン７は、筐体９の最適と判断できる位置（通常、２〜３箇所）に開けた吸塵口に連通するダクト１１を介して筐体９内部に接続しており、遠心力と篩効果によってトロンメル５の網目から抜け出た粉塵やワラ屑はダクト１１を介してここに引き込み、下方に設置したワラ屑排出口１３から分別処理される。サイクロン７の上方には、蛇腹状ダクト１４の一端が接続され、他端は、バグフィルタ１５に接続されている。
【００３５】
破砕装置３で破砕された混合材の内、コンクリートガラ、鉄屑、石等は下流領域３７に接続するトロンメル排出口８より排出される一方、処理土は遠心力とチェーンの衝撃力とによってトロンメル５の網目を抜けてふるい分けられる。尚、ワラ屑や粉塵その他の比重の軽いものについても処理土と同様にトロンメル５の網目を抜けるが、粉塵処理用サイクロン７により引き込み処理される。
【００３６】
第２の実施形態の廃土選別処理装置１０１は、図５〜図１４に示すもので、個人住宅等の解体現場で使用するため、狭い条件の所が多々あることを想定して、プラントの搬入・搬出を容易にする必要があり、コンテナ脱着装置付き自動車に脱着可能な廃土選別処理装置１１０上に実施形態１の廃土選別処理装置１を搭載したものである。
【００３７】
本実施形態の廃土選別処理装置１０１では、装置全体にわたり、固定用ブラケットとしては全て同一の高さのものを使用しているが、回転軸３１の周囲に架け渡されたチェーン３３の太さを領域によって変えることで破砕力を変化させて破砕物の多様な条件に対応できるようにしている。即ち、第１の正回転領域では、チェーン３３を太く設定し、破砕力を大とする。逆回転領域では、粉砕物を逆流または滞留させる。第２の正回転領域では、チェーン３３を細くして破壊力を小とする。
【００３８】
第１の正回転領域、逆回転領域、第２の正回転領域をこの順で配置することが好ましいが、その他、上記の順序を変更したもの、たとえば、（１）第２の正回転領域、第１の正回転領域、逆回転領域、（２）第２の正回転領域、逆回転領域、第１の正回転領域、（３）第２の正回転領域、第１の正回転領域、逆回転領域、（４）第１の正回転領域、第２の正回転領域、逆回転領域等である。さらに、前記第１の正回転領域と第２の正回転領域を組み合わせたもの（順序は変更可能）等、前記第１の正回転領域と逆回転領域を組み合わせたもの、前記第２の正回転領域と逆回転領域を組み合わせたものでもよい。
【００３９】
廃土選別処理装置１１０の構造は、図１１〜図１３に示す通り、Ｌ字形状板体構造に車輪等を設けたものであり、前板１１１、後板１１２、底板１１３、天板１１４、左側板１１５、右側板１１６を有する箱体である。底板１１３には、その前部下面に形成される前脚１２１、後部下面に形成されるローラ付後脚１２２、下面に形成されコンテナ脱着装置付車両１９０に搭載する場合に案内するためのガイド１２３、および下面に形成されコンテナ脱着装置付車両１９０の固縛装置に固縛するためのピンを備えた被固縛装置１２４が設けられる。前脚１２１およびローラ付後脚１２２は折畳構造を備え、フックでコンテナ体１１０に掛け止めして固定することができるように構成されてもよい。これに限らず、前脚１２１およびローラ付後脚１２２は、折畳構造を備えていなくてもよい。前板１１１には両端の基部をリブ１２６により補強して固設された板体に、略Ｕ字状ないし略Ｖ字状のロッドが取り付けられた掛合部材１２５が設けられる。また、左側板１１５および右側板１１６にはそれぞれシャッター扉を設けても良い。後板１１２には後部扉を設けてもよい。
【００４０】
Ｌ字形状板体構造上への機器の配置構成は、道路交通法規等の諸法規に違反がない範囲内で定められ、例えば、図６に示すように片側に筐体９を配置し、発電機搭載スペースをホッパー２とサイクロン７及びバグフィルタ９との間に設けてもよいし、筐体９を挟んで、片側にホッパー２、サイクロン７及びバグフィルタ９を配置し、反対側に発電機搭載スペースを確保してもよい。配置構成は、左右の重量バランスと各機器のメンテナンス性を考慮して自由に変更可能である。
【００４１】
以下、本発明の実施例１による脱着式コンテナ１１０の使用について、作用効果とともに説明する。廃土選別処理装置１を搭載した脱着式コンテナ１１０をコンテナ脱着装置付車両１９０に搭載するときには、図１４に示す通り、コンテナ脱着装置付車両１９０のフック１９１で掛合部材１２５を引っ掛けて、アーム１９２によってコンテナ脱着装置付車両１９０における前方向に移動させる。この移動中、前脚１２１が浮いたらこれを畳んだ状態にし、引き続き、アーム１９２によって移動させて搭載する。搭載後、扉付き脱着式コンテナ１０１の被固縛装置１２４をコンテナ脱着装置付車両１９０の固縛装置で固縛し固定する。前脚１２１に加えてローラ付後脚１２２も畳んで運搬してもよい。
【００４２】
一方、コンテナ脱着装置付車両１９０から降ろすときには、脱着式コンテナ１１０の被固縛装置１２４をコンテナ脱着装置付車両１９０の固縛装置から解除し、畳んだ状態にあるローラ付後脚１２２を展開して立設し、コンテナ脱着装置付車両１９０のフック１９１で掛合部材１２５を引っ掛けて、アーム１９２によってコンテナ脱着装置付車両１９０の後方に移動させて、ローラ付後脚１２２を着地させる。浮いた前脚１２１を展開して立設した後、引き続き、アーム１９２によってコンテナ脱着装置付車両１９０から離脱させる。扉付き脱着式コンテナ１０１は、前脚１２１、ローラ付後脚１２２、ガイド１２３、被固縛装置１２４、掛合部材１２５を備えることによって、コンテナ脱着装置付車両１９０への係脱ないし積み降ろしを円滑に簡単に行うことができる。
【００４３】
図１５〜図１９は図９とは相違する他の実施形態のチェーンの配置を示すものである。図では符号は略す。この実施形態は、基本的な発想は、図９と同様であるが、固定部３２、チェーン３３の構造が相違する。固定部３２が板片であり、複数個が独立して、回転軸３１の外表面に立設され固定されたものである。これらの固定部３２にチェーン３３を設ける。固定部３２は、回転軸３１の軸方向に斜めに配置されているが、平行でも直交でもいずれの方向でもよい。それぞれの固定部３２の取付角度が軸方向に対して変化するようになっている。チェーン３３が螺旋状に配置され、固定部３２もそのための配置となっている。固定部３２に隣接する２つのチェーン３３を取り付けてもよいし、１個でもよい。固定部３２が螺旋状に配置されたものでもよいし、螺旋状でなくてもよい。また、軸方向に螺旋状に配置された固定部３２の列が１個でもよいし、固定部３２の列を１対、間隔を空けて設けてもよい。固定部３２は強度の観点から鉄鋼製が好ましく、回転軸３１に溶接され、チェ−ン３３がボルト・ナット等の締結金具により固定部３２に固定されている。
【００４４】
図２０は防塵カバーに代えて、残土投入用ホッパー２の上部に噴霧ノズルを取り付けたものである。この噴霧ノズルは、パイプに穴の開いたもの、または、ノズルを取り付けたものであり、残土投入ホッパーの上部に複数本のパイプを設置し、水道水が供給され、穴又はノズルから霧が噴霧される。パイプと接続されるホースには蛇口が配置されている。ここでは一対の噴霧ノズルを対向して設置してある。これにより、残土投入ホッパー２の上部開口部に霧が噴霧されて、舞い上がる粉塵を防止することができ、作業に支障が生じにくくなり、また、作業効率が高くなる。残土投入ホッパー２の下部にはスクリューコンベア４が設置されている。
【００４５】
なお、本発明の実施の形態は上記実施形態に何ら限定されるものではなく、また、上記実施形態に説明される構成のすべてが本発明の必須要件であるとは限らない。本発明は、その技術的思想を逸脱しない範囲において、当該技術的範囲に属する限り種々の改変等の形態を採り得る。例えば、上記実施態様では、分別用トロンメル５と破砕装置３とは相互に独立して回転するものとしたが、これらを一体化して同期回転してもよい。サイクロン７に代えて風力選別機を採用することもできる。廃土選別処理装置１の使用条件としては、特に限定されないが、例えば、廃土（被処理土）としては、含水率が１０％以下であることが好ましく、ホッパーへの投入前に予め鉄屑、石膏ボード、コンクリートガラ、石等の大まかな手選別を行っておくことが好ましいが、インバータ制御回路による廃土供給速度の制御によって、被処理土の性状の自由度を高くすることができる。また廃土選別装置により得られた処理土は、現場で埋め戻すことが廃棄物処理コストの削減に役立つために好適であるが、これに限られず、例えば肥料製造工程に供してもよいし、農場や温室栽培及び造園業での土質改良、家庭菜園向け培養土の製造用途に利用することもできる。
【符号の説明】
【００４６】
１・・・廃土選別処理装置
２・・・残土投入用ホッパー
３・・・破砕装置
４・・・スクリューコンベア
５・・・分別用トロンメル
６・・・ベルトコンベアー
７・・・粉塵処理用サイクロン
８・・・トロンメル排出口
９・・・筐体
１１・・・ダクト
１３・・・ワラ屑排出口
１４・・・蛇腹状ダクト
１５・・・バグフィルタ
２１・・・シート
２３・・・のれん式のカバー
２５・・・バイブレータ
３１・・・回転軸
３２・・・固定部
３３・・・チェーン
３５・・・中間領域
３６・・・上流領域
３７・・・下流領域
１１０・・・脱着式コンテナ
１１１・・・前板
１１２・・・後板
１１３・・・底板
１１５・・・左側板
１１６・・・右側板
１２１・・・前脚
１２２・・・ローラ付後脚
１２３・・・ガイド
１２４・・・被固縛装置
１２５・・・掛合部材
１２６・・・リブ
１６２ａ，１６２ｂ・・・後部扉回動軸
１６３・・・後部扉錠
１６４・・・後部扉止め
１９０・・・コンテナ脱着装置付き自動車
１９１・・・フック
１９２・・・アーム
【図１】
2015223527.tif 000003
【図２】
2015223527.tif 000004
【図３】
2015223527.tif 000005
【図４】
2015223527.tif 000006
【図５】
2015223527.tif 000007
【図６】
2015223527.tif 000008
【図７】
2015223527.tif 000009
【図８】
2015223527.tif 000010
【図９】
2015223527.tif 000011
【図１０】
2015223527.tif 000012
【図１１】
2015223527.tif 000013
【図１２】
2015223527.tif 000014
【図１３】
2015223527.tif 000015
【図１４】
2015223527.tif 000016
【図２０】
2015223527.tif 000017
【図１５】
2015223527.tif 000018
【図１６】
2015223527.tif 000019
【図１７】
2015223527.tif 000020
【図１８】
2015223527.tif 000021
【図１９】
2015223527.tif 000022